(57)【特許請求の範囲】
【請求項１】
投写型テレビジョン装置の構成素子の位置決めをするための調節装置であって、
前記構成素子を取付けるためのブラケットと、
実質的に同一の平面上に配置される第１の偏心カム、第２の偏心カム、及び、第３の偏心カムと、
前記ブラケット内の第１のスロット、第２のスロット、及び、第３のスロットとを含み、各スロットは、前記偏心カムのそれぞれ１つと係合し、
前記第２の偏心カムの回転は、前記ブラケットをＸ方向に動かす能力を有し、
前記第１の偏心カム及び前記第３の偏心カムの回転は、前記ブラケットを前記Ｘ方向に対して垂直なＹ方向に動かす能力を有し、
前記第１の偏心カム及び前記第３の偏心カムの回転は、前記ブラケットを前記Ｘ方向及び前記Ｙ方向によって定められる平面内で回転する能力を有し、
前記偏心カムの少なくとも１つは、調節機能をもたらし且つ前記ブラケットとはめ合い部との摩擦係合を維持する手段を含む、
調節装置。
【発明の詳細な説明】
【０００１】
【発明の属する技術分野】
多くのシステムは、画像のセンタリング及び回転を電子的に調節する。本発明は、投写型テレビジョン装置に関わり、特に、液晶ディスプレイ（ＬＣＤ）投写型システムに有利である。
【０００２】
【従来の技術】
ＬＣＤプロジェクタでは、電子的にセンタリング及び回転を調節すると、ピクチャ性能に悪影響を与える。電子的にセンタリングをするには、画像のシフトに合わせて画像領域以外に余剰のピクセルを必要とする。従って、一部のピクセルは使用されず、解像度が低下する。画像を電子的に回転すると、無駄にされるピクセルにより同様の結果がもたらされ、更には、水平線及び垂直線が回転され、矩形のピクセルアレイにマッピングされると発生するデジタル「ステアステッピング（stair-stepping）」ももたらされる。
【０００３】
【発明が解決しようとする課題】
投写型テレビジョン装置に使用されるプロジェクタは、最大ピクチャ精度が得られるよう適切に調節されなければならない。本発明は、投写される画像が補正され照準及び回転精度が得られるようプロジェクタをきめ細かく位置決めすることを可能にする。
【０００４】
【課題を解決するための手段】
本発明は、投写型テレビジョン装置の構成素子の位置決めをする調節装置を提供する。調節装置は、上記構成素子を取付けるためのブラケットを含む。実質的に同一の平面上に配置される第１のカム、第２のカム、及び、第３のカムは、上記ブラケット内の第１のスロット、第２のスロット、及び、第３のスロットにそれぞれ係合する。第１のカムは、ブラケットをＸ方向に動かす。第２のカムはブラケットをＸ方向に垂直なＹ方向に動かし、第３のカムは、Ｘ方向及びＹ方向により画成される面においてブラケットを回転させる。
【０００５】
本発明は、少なくとも１つのカムが、調節機能と抑制機能の両方を与えることを有利な特徴とする。
【０００６】
本発明は、１つのカムが調節される際に、別のカムが動くことを阻止することをもう１つの有利な特徴とする。
【０００７】
本発明は、少なくとも１つのカムはフランジを有し、且つ、スロットが設けられるブラケットと同じ厚さを有することをもう１つの有利な特徴とする。
【０００８】
本発明は、テレビジョン装置の筐体にしっかりと接合されるはめ合い部は、張出しアームがしっかりと接合されることをもう１つの有利な特徴とする。ブラケットは、張出しアームとはめ合い部との間にはさまれる。
【０００９】
本発明は、張出しアームは、ブラケットを押す干渉ハンプを有することをもう１つの特徴とする。
【００１０】
本発明は、テレビジョン装置の筐体にしっかりと接合されるはめ合い部は、圧縮バネによりカムに向かって付勢されることをもう１つの特徴とする。
【００１１】
本発明は、圧縮バネは波状の座金であることを別の特徴とする。
【００１２】
【発明の実施の形態】
図１Ａ及び図１Ｂを参照するに、本発明は、プロジェクタを取付けるスロットが設けられたブラケット１と、ブラケットを有限の範囲内で正確に位置決めすることを可能にする偏心カム配置を提供する。３つのスロット９、１１、１３において、３つのカム３、５、及び７を使用することにより、Ｘ方向動作、Ｙ方向動作、及び、回転が達成される。
【００１３】
図１Ａでは、カムは公称位置にある。カム５を回転することにより、ブラケット１のＸ方向における水平動作をもたらす。カム３及び７を同一の方向に回転することにより、ブラケット１のＹ方向における垂直動作をもたらす。カム３及び７を異なる方向に回転することにより、ブラケット１は、図１Ｂに示すように回転する。尚、図１Ｂでは、カム５が少し回転され、ブラケット１は水平方向に並進される。
【００１４】
本発明は、カムが、抑制機能と調節機能の両方のダブルデューティを担うことを特徴とする。図２を参照するに、テレビジョン装置の筐体にしっかりと接合されるはめ合い部１５は、カム配置によってブラケット１に固定される。図２には、３つのカムのうち１つのカムのみを示す。しかし、他のカムの構造も同様である。カム５は、ブラケット１をはめ合い部１５に対し保持するフランジ１７を有する。ネジ１９が、ショルダブッシング２１、波状のバネ座金２３、及び、カム５を通り、はめ合い部１５にねじ込まれる。カム５の厚さはブラケット１の厚さに合わせられているので、フランジ１７は、ブラケット１をはめ合い部１５に対し摩擦接触させて保持する。摩擦量は、波状のバネ座金２３により加えられる圧力により決められる。
【００１５】
はめ合い部１５は、張出しアーム２５を有し、これは、ブラケット１をはめ合い部１５に接触した状態に維持することを支援する。張出しアーム２５は干渉ハンプ２７を有し、不必要に干渉ハンプとブラケットの間の摩擦を増加することなくブラケット１を押す。
【００１６】
本発明は、１つのカムが調節される際に別のカムが動くことを阻止することをもう１つの特徴とする。フランジ１７によって、ブラケット１ははめ合い部１５に摩擦接触するようにされる。１つのカムが調節されると、別のカムは、はめ合い部１５との摩擦接触によりそれぞれの位置に維持される。その結果、それぞれのカムは、他のカムの動作があまり動くことなく調節されることが可能となる。
【００１７】
１つのカムが調節される際に別のカムが動くことを阻止することは、ネジ１９、ショルダブッシング２１、及び、圧縮バネ２３を使用し、カムとはめ合い部１５との間に、摩擦力が回転力を打ち消すようクランプ負荷を発生することにより達成される。摩擦量は、カムは偶発的に容易に回転しないが、ユーザが単純なツールを使って手動で回転させるには困難でないよう選択される。
【００１８】
好適な実施例では、図３Ａ乃至図３Ｄに示すような縁がうねっている波状のバネ座金２３を使用して、カムとはめ合い部との間に必要な高い圧縮負荷を生成する。このような配置は、コンパクトな空間に嵌ることが可能である。
【００１９】
ヘリカル線バネではなく、バネ２３のような波状の座金を使用することの利点は、バネと、はめ合い部、ショルダブッシング２１、及び、カム５との間の本質的に「丸みを帯びた」接触面である。このような丸みを帯びた接触面を有することにより、バネによるはめ合い部へのめり込み及びはめ合い部の磨り減りは最小限にされる。
【００２０】
これにより、追加の費用がかかることなく、又は、大量の金属座金を必要とすることなく、バネはプラスチックカムに直接接触することができる。波状のバネ座金は、カムが回転される際に「巻き付き」、「巻きがゆるむ」といった問題もない。このような巻き付き、巻きがゆるむといった問題は、カムを回転するのに必要な回転力を望ましくなく変わりやすくしてしまう。
【図面の簡単な説明】
【図１Ａ】公称位置にある本発明のカム配置を示す図である。
【図１Ｂ】図１Ａとは異なる位置にある本発明のカム配置を示す図である。
【図２】本発明のカム機構を示す断面図である。
【図３Ａ】本発明のカム機構に使用される波状の座金を示す図である。
【図３Ｂ】本発明のカム機構に使用される波状の座金を示す図である。
【図３Ｃ】本発明のカム機構に使用される波状の座金を示す図である。
【図３Ｄ】本発明のカム機構に使用される波状の座金を示す図である。
【符号の説明】
１  ブラケット
３、５、７  カム
９、１１、１３  スロット
１５  はめ合い部
１７  フランジ
１９  ネジ
２１  ショルダブッシング
２３  波状のバネ座金
２５  張出しアーム
２７  干渉ハンプ
【図１Ａ】
0004267251.tif 000002
【図１Ｂ】
0004267251.tif 000003
【図２】
0004267251.tif 000004
【図３Ａ】
0004267251.tif 000005
【図３Ｂ】
0004267251.tif 000006
【図３Ｃ】
0004267251.tif 000007
【図３Ｄ】
0004267251.tif 000008